(57)【特許請求の範囲】
【請求項１】
（ａ）電線が接続されるコネクタのハウジングに取付けられ、前記電線のハウジングから延出する部分を覆うコネクタ用カバーであって、
（ｂ）前記ハウジングの係止凹部に係止可能であって、前記コネクタ用カバーのハウジングへの取付け方向である第１の方向と直交する第２の方向に離間した爪部と、
（ｃ）前記ハウジングの第１停止部と当接可能な第１当接部と、
（ｄ）前記ハウジングの第２停止部と当接可能な第２当接部と、
（ｅ）前記ハウジングの第３停止部と当接可能な第３当接部と、
（ｆ）前記第２の方向に離間した側板部と、
（ｇ）該側板部における前記第１の方向及び第２の方向に対して直交する第３の方向一端に両側縁が接続された底板部とを備え、
（ｈ）前記第１当接部は、前記第２の方向に離間した爪部を結ぶ線を仮想回動軸とする回動の第１回動方向に前記第１停止部と当接可能であり、前記第２当接部は前記第１回動方向と反対の第２回動方向に前記第２停止部と当接可能であり、前記第３当接部は前記第１回動方向に第３停止部と当接可能であり、前記第２当接部及び第３当接部は、前記第２の方向に離間した爪部の位置に対し、前記第３の方向に離れた位置となるように前記ハウジングに配設されており、前記爪部の各々は、前記側板部の前記第１の方向前端であって前記第３の方向の中央部に配設され、前記第１当接部は、前記底板部の前記第１の方向前端面であって、前記爪部よりも前記第１の方向前方に位置することを特徴とするコネクタ用カバー。
【請求項２】
前記第２の方向に離間した側板部と、該側板部の前記第３の方向他端に両側縁が接続された天板部とを更に備え、
前記第２当接部は、前記天板部の前記第１の方向前端面であって、前記爪部よりも前記第１の方向後方に位置し、
前記第２停止部は前記ハウジングの基部の前記第１の方向後端に位置する請求項１に記載のコネクタ用カバー。
【請求項３】
前記第２の方向に離間した側板部と、該側板部の前記第３の方向他端に両側縁が接続された天板部と、該天板部の前記第１の方向前端面から前記第１の方向前方に延出する補助板部とを更に備え、
前記第３当接部は前記補助板部の前記第３の方向他側面であり、
前記第３停止部は、前記ハウジングの基部の前記第１の方向後面に開口する接続凹部の前記第３の方向一側面であり、
前記接続凹部が前記補助板部を受入れた状態で、前記爪部は係止凹部と係止及び離脱が可能である請求項１に記載のコネクタ用カバー。
【請求項４】
前記補助板部の前記第２の方向両側面と前記接続凹部の前記第２の方向両側面とは、摺動可能に嵌合し、前記仮想回動軸の方向に関して、前記コネクタ用カバーと前記ハウジングとの相対位置を保持可能である請求項３に記載のコネクタ用カバー。
【請求項５】
前記ハウジングの第５停止部と当接可能な第５当接部を更に備え、
該第５当接部は、前記仮想回動軸に直交する軸を回動軸とする回動方向に第５停止部と当接可能である請求項１に記載のコネクタ用カバー。
【請求項６】
開閉可能な電線ガイド蓋部を含む電線ガイド部を前記第１の方向後端に更に備え、
該電線ガイド部は、前記電線の向きを選択して挿通可能な複数の電線通過孔を含む請求項１〜５のいずれか１項に記載のコネクタ用カバー。
【請求項７】
前記電線通過孔は、略半円筒状の凹部である半割部であって前記電線ガイド蓋部の接合面に形成された半割部を含み、前記電線は、前記電線通過孔を通過して、前記ハウジングから延出する方向と異なる方向に、前記電線ガイド部から延出する請求項６に記載のコネクタ用カバー。
【請求項８】
前記電線通過孔は内面に形成された突起を含み、前記電線通過孔を通過する電線は前記突起によって挟持される請求項７に記載のコネクタ用カバー。
【請求項９】
前記ハウジングには、一対の係合突起を含むシール部材が装着され、
該シール部材は、前記係合突起が係止凹部と係合することによって位置決めされる請求項１〜８のいずれか１項に記載のコネクタ用カバー。
【請求項１０】
前記第２停止部及び第３停止部は、前記ハウジングの端子収容部及び電線収容部の上方に一体的に配設されたロック部材の操作片の収容部に形成される請求項１に記載のコネクタ用カバー。
【発明の詳細な説明】
【技術分野】
【０００１】
本開示は、コネクタ用カバーに関するものである。
【背景技術】
【０００２】
従来、自動車等において使用される電線用のコネクタでは、雨水、洗浄水等が内部に進入することを防止するために、コネクタ本体に装着されて電線の付け根部分を覆うようなカバーが取付けられている（例えば、特許文献１参照。）。
【０００３】
図１５は従来のカバーを備えるコネクタを示す断面図である。
【０００４】
図において、８１１は合成樹脂製の一体的に形成されたコネクタのハウジング本体であり、該ハウジング本体８１１の内部には複数のキャビティ８１５が並んで形成されている。また、前記ハウジング本体８１１の周囲は、筒部８２１によって取囲まれている。そして、各キャビティ８１５の内部には、後方から挿入された端子８９５が装填される。該端子８９５は電線８９１の末端に接続されている。前記電線８９１の付け根部分、すなわち、末端近傍の部分は、ハウジング本体８１１の後端に装着されたカバー８３１内に収容される。
【０００５】
ハウジング本体８１１の後端近傍の両側には、前後一対のリブ８２７ａと、該リブ８２７ａの間に配設された溝部８２７ｂとが形成されている。そして、カバー８３１の前端近傍の両内面に形成された係合リブ８３７が前記リブ８２７ａ及び溝部８２７ｂと係合することによって、カバー８３１がハウジング本体８１１の後端に取付けられる。
【０００６】
また、ハウジング本体８１１の周囲には、ゴム製のシール部材８８１が装着されている。そして、該シール部材８８１の係止部８８４は、ハウジング本体８１１と筒部８２１との連結部に形成された開口部８２６を通って外部に突出し、その先端がカバー８３１の内面に当接する。これにより、シール部材８８１が抜出ることが防止される。
【先行技術文献】
【特許文献】
【０００７】
【特許文献１】特開２０１２−２５２９７３号公報
【発明の概要】
【発明が解決しようとする課題】
【０００８】
しかしながら、前記従来のコネクタにおいては、係合リブ８３７がリブ８２７ａ及び溝部８２７ｂと係合することによってカバー８３１がハウジング本体８１１に取付けられているだけなので、カバー８３１が外れやすくなっている。例えば、電線８９１が煽られた場合のように、カバー８３１をハウジング本体８１１に対して回転させる外力がかかると、係合リブ８３７とリブ８２７ａ及び溝部８２７ｂとの係合が弾性変形により解除され易くなる。
【０００９】
ここでは、前記従来の問題点を解決して、コネクタから外れにくく、電線の付け根部分を確実に保護することができ、信頼性が高く、製造コストが低く、耐久性の高いコネクタ用カバーを提供することを目的とする。
【課題を解決するための手段】
【００１０】
そのために、コネクタ用カバーにおいては、電線が接続されるコネクタのハウジングに取付けられ、前記電線のハウジングから延出する部分を覆うコネクタ用カバーであって、前記ハウジングの係止凹部に係止可能であって、前記コネクタ用カバーのハウジングへの取付け方向である第１の方向と直交する第２の方向に離間した爪部と、前記ハウジングの第１停止部と当接可能な第１当接部と、前記ハウジングの第２停止部と当接可能な第２当接部と、前記ハウジングの第３停止部と当接可能な第３当接部と、前記第２の方向に離間した側板部と、該側板部における前記第１の方向及び第２の方向に対して直交する第３の方向一端に両側縁が接続された底板部とを備え、前記第１当接部は、前記第２の方向に離間した爪部を結ぶ線を仮想回動軸とする回動の第１回動方向に前記第１停止部と当接可能であり、前記第２当接部は前記第１回動方向と反対の第２回動方向に前記第２停止部と当接可能であり、前記第３当接部は前記第１回動方向に第３停止部と当接可能であり、前記第２当接部及び第３当接部は、前記第２の方向に離間した爪部の位置に対し、前記第３の方向に離れた位置となるように前記ハウジングに配設されており、前記爪部の各々は、前記側板部の前記第１の方向前端であって前記第３の方向の中央部に配設され、前記第１当接部は、前記底板部の前記第１の方向前端面であって、前記爪部よりも前記第１の方向前方に位置する。
【００１４】
更に他のコネクタ用カバーにおいては、さらに、前記第２の方向に離間した側板部と、該側板部の前記第３の方向他端に両側縁が接続された天板部とを更に備え、前記第２当接部は、前記天板部の前記第１の方向前端面であって、前記爪部よりも前記第１の方向後方に位置し、前記第２停止部は前記ハウジングの基部の前記第１の方向後端に位置する。
【００１５】
更に他のコネクタ用カバーにおいては、さらに、前記第２の方向に離間した側板部と、該側板部の前記第３の方向他端に両側縁が接続された天板部と、該天板部の前記第１の方向前端面から前記第１の方向前方に延出する補助板部とを更に備え、前記第３当接部は前記補助板部の前記第３の方向他側面であり、前記第３停止部は、前記ハウジングの基部の前記第１の方向後面に開口する接続凹部の前記第３の方向一側面であり、前記接続凹部が前記補助板部を受入れた状態で、前記爪部は係止凹部と係止及び離脱が可能である。
【００１６】
更に他のコネクタ用カバーにおいては、さらに、前記補助板部の前記第２の方向両側面と前記接続凹部の前記第２の方向両側面とは、摺動可能に嵌合し、前記仮想回動軸の方向に関して、前記コネクタ用カバーと前記ハウジングとの相対位置を保持可能である。
【００１７】
更に他のコネクタ用カバーにおいては、さらに、前記ハウジングの第５停止部と当接可能な第５当接部を更に備え、該第５当接部は、前記仮想回動軸に直交する軸を回動軸とする回動方向に第５停止部と当接可能である。
【００１８】
更に他のコネクタ用カバーにおいては、さらに、開閉可能な電線ガイド蓋部を含む電線ガイド部を前記第１の方向後端に更に備え、該電線ガイド部は、前記電線の向きを選択して挿通可能な複数の電線通過孔を含む。
【００１９】
更に他のコネクタ用カバーにおいては、さらに、前記電線通過孔は、略半円筒状の凹部である半割部であって前記電線ガイド蓋部の接合面に形成された半割部を含み、前記電線は、前記電線通過孔を通過して、前記ハウジングから延出する方向と異なる方向に、前記電線ガイド部から延出する。
【００２０】
更に他のコネクタ用カバーにおいては、さらに、前記電線通過孔は内面に形成された突起を含み、前記電線通過孔を通過する電線は前記突起によって挟持される。
【００２１】
更に他のコネクタ用カバーにおいては、さらに、前記ハウジングには、一対の係合突起を含むシール部材が装着され、該シール部材は、前記係合突起が係止凹部と係合することによって位置決めされる。
【００２２】
更に他のコネクタ用カバーにおいては、さらに、前記第２停止部及び第３停止部は、前記ハウジングの端子収容部及び電線収容部の上方に一体的に配設されたロック部材の操作片の収容部に形成される。
【発明の効果】
【００２３】
本開示によれば、コネクタ用カバーは、コネクタから外れにくく、電線の付け根部分を確実に保護することができ、信頼性が向上し、製造コストが低減され、耐久性が向上する。
【００２４】
とりわけ、第１の特徴によれば、爪部及び係止凹部にかかる負荷を軽減することができ、耐久性を向上させることができる。
【００２５】
また、第２の特徴によれば、第１の効果に加え、第１回動方向への回動を阻止することができる。
【００２６】
また、第３の特徴によれば、第２の効果に加え、第２回動方向への回動を阻止することができる。
【００２７】
また、第４の特徴によれば、第３の効果に加え、第１回動方向への回動をさらに阻止することができる。
【００２８】
また、第５の特徴によれば、第３の効果に加え、第２回動方向への回動をさらに阻止することができる。
【００２９】
また、第６の特徴によれば、第３の効果に加え、第１回動方向へ回動をさらに阻止することができる。
【００３０】
また、第７の特徴によれば、第６の効果に加え、第２の方向に離間する爪部の間隔を一定に保持することができる。
【００３１】
また、第８の特徴によれば、第１の効果に加え、仮想回動軸と直交する軸まわりの回動を阻止することができる。
【００３２】
また、第９の特徴によれば、第１〜８のいずれかの効果に加え、所望の向きに電線を引き出すことが可能である。
【００３３】
また、第１０の特徴によれば、第９の効果に加え、電線ガイド蓋部を開き電線通過孔を選択することが可能である。
【００３４】
また、第１１の特徴によれば、第１０の効果に加え、電線の保持構造を簡素化することができる。
【００３５】
また、第１２の特徴によれば、第１〜１１のいずれかの効果に加え、係止凹部をシール部材の位置決めに利用可能である。
【００３６】
また、第１３の特徴によれば、第２の効果に加え、コネクタ用カバーとハウジングとを全体的に小型化することができる。
【図面の簡単な説明】
【００３７】
【図１】本実施の形態におけるカバーがコネクタに取付けられた状態を示す斜視図であって、（ａ）はカバー側から観た図、（ｂ）はコネクタ側から観た図である。
【図２】本実施の形態におけるカバーを示す前方から観た斜視図であって、（ａ）は左方から観た図、（ｂ）は右方から観た図である。
【図３】本実施の形態におけるカバーを示す後方から観た斜視図であって、（ａ）は上方から観た図、（ｂ）は下方から観た図である。
【図４】本実施の形態におけるカバーとコネクタとの関係を示す図であって、（ａ）は上後方から観たコネクタの斜視図、（ｂ）は下後方から観たコネクタの斜視図、（ｃ）はカバーの斜視図である。
【図５】本実施の形態におけるコネクタを示す前方から観た斜視図である。
【図６】本実施の形態におけるコネクタを示す二面図であって、（ａ）は側面図、（ｂ）は（ａ）におけるＡ−Ａ矢視断面図である。
【図７】本実施の形態におけるシール部材を示す斜視図であって、（ａ）は前方から観た図、（ｂ）は後方から観た図である。
【図８】本実施の形態におけるシール部材を示す二面図であって、（ａ）は側面図、（ｂ）は（ａ）におけるＢ−Ｂ矢視断面図である。
【図９】本実施の形態におけるカバーをコネクタに装着する動作を示す斜視図であって、（ａ）はカバー側から観た図、（ｂ）はコネクタ側から観た図である。
【図１０】本実施の形態におけるカバーがコネクタに取付けられた状態を示す第１の二面図であって、（ａ）は側面図、（ｂ）は（ａ）におけるＣ−Ｃ矢視断面図である。
【図１１】本実施の形態におけるカバーがコネクタに取付けられた状態を示す第２の二面図であって、（ａ）は図１０（ａ）におけるＤ−Ｄ矢視断面図、（ｂ）は図１０（ａ）におけるＤ−Ｄ矢視断面を含む斜視図である。
【図１２】本実施の形態におけるコネクタに電線が接続された状態を示す斜視図であって、（ａ）はカバー側から観た図、（ｂ）は電線の引出態様を説明する図である。
【図１３】本実施の形態におけるコネクタに電線が接続された状態を示す正面図である。
【図１４】本実施の形態におけるコネクタに電線が接続された状態を示す二面図であって、（ａ）は側面図、（ｂ）は（ａ）におけるＥ−Ｅ矢視断面図である。
【図１５】従来のカバーを備えるコネクタを示す断面図である。
【発明を実施するための形態】
【００３８】
以下、本実施の形態について図面を参照しながら詳細に説明する。
【００３９】
図１は本実施の形態におけるカバーがコネクタに取付けられた状態を示す斜視図、図２は本実施の形態におけるカバーを示す前方から観た斜視図、図３は本実施の形態におけるカバーを示す後方から観た斜視図、図４は本実施の形態におけるカバーとコネクタとの関係を示す図である。なお、図１において、（ａ）はカバー側から観た図、（ｂ）はコネクタ側から観た図であり、図２において、（ａ）は左方から観た図、（ｂ）は右方から観た図であり、図３において、（ａ）は上方から観た図、（ｂ）は下方から観た図であり、図４において、（ａ）は上後方から観たコネクタの斜視図、（ｂ）は下後方から観たコネクタの斜視図、（ｃ）はカバーの斜視図である。
【００４０】
図１において、１は本実施の形態におけるコネクタであり、ハウジング１１の後端１１ｒに本実施の形態におけるコネクタ用カバーとしてのカバー５０が装着されている。また、ハウジング１１の前端１１ｆには、図示されない相手方コネクタが嵌合される。前記コネクタ１は、例えば、自動車のブレーキランプ等のランプ類と電源との接続等に使用される電線用のコネクタであり、後述される電線９１の先端が接続されている。なお、前記コネクタ１に接続される電線９１の本数は、単数であってもよく、複数であってもよく、何本であってもよいが、ここでは、説明の都合上、２本である場合についてのみ説明する。
【００４１】
なお、本実施の形態において、コネクタ１、カバー５０及び電線９１に含まれる各部の構成及び動作を説明するために使用される上、下、左、右、前、後等の方向を示す表現は、絶対的なものでなく相対的なものであり、コネクタ１、カバー５０及び電線９１に含まれる各部が図に示される姿勢である場合に適切であるが、コネクタ１、カバー５０及び電線９１に含まれる各部の姿勢が変化した場合には姿勢の変化に応じて変更して解釈されるべきものである。
【００４２】
また、本実施の形態においては、便宜上、カバー５０のハウジング１１への取付け方向を第１の方向と称し、該第１の方向に直交する方向を第２の方向と称し、前記第１の方向及び第２の方向に対して直交する方向を第３の方向と称することもある。
【００４３】
前記カバー５０は、電線９１のコネクタ１への付け根部分を覆って保護する部材であって、図２〜４に示されるように、合成樹脂等の絶縁性材料から一体的に形成された本体部５１と、該本体部５１の後端に一体的に接続された電線ガイド基部６１と、前記本体部５１に関節部６３を介して取付けられ、前記電線ガイド基部６１の後部を開閉可能な電線ガイド蓋部６２とを備える。なお、前記電線ガイド基部６１と電線ガイド蓋部６２とを総称して電線ガイド部と称することとする。
【００４４】
前記本体部５１は、略直方体状の箱状の部材であり、前後に延在する長方形の平板状の底板部５２と、該底板部５２と平行な平板状の天板部５４と、前記底板部５２及び天板部５４に対してほぼ直交し、前記底板部５２及び天板部５４の左右両側縁を連結する左右一対の平板状の側板部５３とを含んでいる。そして、前記底板部５２、側板部５３及び天板部５４によって周囲を画定された接続用空間５５は、前記電線ガイド基部６１を貫通して前後に延在する断面矩形の空間である。
【００４５】
また、左右の側板部５３の前端には、カバー側係止部としての爪部５６が一体的に形成されている。該爪部５６は、突起状の部材であり、前後方向に対して傾斜したテーパ面５６ａ及び前後方向に対して垂直な、すなわち、本体部５１の幅方向に延在する係止面５６ｂを含んでいる。該係止面５６ｂは、前記コネクタ１のハウジング１１の係止凹部１６の係止部１６ｂに係止される。
【００４６】
そして、前記底板部５２の前端面５２ａ、及び、天板部５４の前端面５４ｄにおける左右の側板部５３に隣接した部分は、カバー５０がコネクタ１のハウジング１１に取付けられた状態で、左右の爪部５６を結ぶ直線を仮想回動軸Ｐとしてカバー５０がハウジング１１に対して回動するような力が付与された場合に、前記ハウジング１１の下部停止面１４及び上部停止面１７に、それぞれ、当接してカバー５０の回動を停止させる第１当接部及び第２当接部として機能する。換言すると、前記前端面５２ａ及び前端面５４ｄは、下部停止面１４及び上部停止面１７に当接可能な第１当接部及び第２当接部であって、図４（ｃ）に示されるように、左右に離間した爪部５６の位置に対し、上下方向及び前後方向に離れた位置となるようにハウジング１１に配設されている。なお、爪部５６の各々は、側板部５３の前端であって上下方向の中央部に配設され、前記前端面５２ａは爪部５６よりも前方に位置する。また、前記前端面５４ｄは爪部５６よりも後方に位置する。
【００４７】
なお、前記天板部５４は前後方向の寸法が底板部５２より短く、その前端面５４ｄは底板部５２の前端面５２ａより後方に位置するので、接続用空間５５の上面が大きく開放されている。
【００４８】
そして、前記天板部５４の前端面５４ｄからは、長方形の平板状の補助板部５４ａが前方に延出する。該補助板部５４ａの下面５４ｂは、カバー５０がコネクタ１のハウジング１１に装着された状態で、左右の爪部５６を結ぶ軸を回動軸としてカバー５０がハウジング１１に対して回動するような力が付与された場合に、前記ハウジング１１の接続凹部２３の底面２３ａに当接してカバー５０の回動を停止させる第３当接部として機能し、前記第１当接部又は第２当接部を補助する。
【００４９】
また、前記補助板部５４ａの側面５４ｃは、カバー５０がコネクタ１のハウジング１１に装着された状態で、左右の爪部５６を結ぶ軸に垂直な軸を回動軸としてカバー５０がハウジング１１に対して回動するような力が付与された場合に、前記ハウジング１１の後述される接続凹部２３の側面２３ｂに当接してカバー５０の回動を停止させる第４当接部として機能する。さらに、接続凹部２３が補助板部５４ａを受入れた状態で、爪部５６は係止凹部１６と係止及び離脱が可能である。
【００５０】
前記電線ガイド基部６１は本体部５１の後端に接続された矩形の枠状の部材であり、天板部５４の後端に沿って延在する上枠部６１ａと、底板部５２の後端に沿って延在する下枠部６１ｃと、左右の側板部５３の後端に沿って延在する一対の側枠部６１ｂとを備える。そして、上枠部６１ａ、下枠部６１ｃ及び側枠部６１ｂの各々の後端面には、電線通過孔６５の前半割部６５ａが２つずつ並んで形成されている。
【００５１】
該前半割部６５ａは、概略半円筒状の凹部であって、枠状の部材である電線ガイド基部６１の内部と外部とを連通するように、上枠部６１ａ、下枠部６１ｃ及び側枠部６１ｂの各々の厚さ方向に延在する。子細に観ると、各前半割部６５ａは、内側テーパ部６５ａ１、直管部６５ａ２、外側テーパ部６５ａ３及び最外側テーパ部６５ａ４を含んでいる。そして、前半割部６５ａの内径は、直管部６５ａ２において最も小さく、内側テーパ部６５ａ１においては電線ガイド基部６１の内部側の開口に向うに連れて拡大し、外側テーパ部６５ａ３においては電線ガイド基部６１の外部側の開口に向うに連れて拡大し、最外側テーパ部６５ａ４においては電線ガイド基部６１の外部側の開口に向うに連れて更に拡大するように変化する。
【００５２】
また、直管部６５ａ２の内面における電線ガイド基部６１の内部側の箇所には、互いに対向する一対の突起６６が形成されている。対向する突起６６間の寸法は、電線９１の外径よりも小さい。これにより、電線通過孔６５を通過する電線９１は、その外側の絶縁被覆層が前記突起６６によって押潰されるようにして、挟持される。なお、少なくとも最外側テーパ部６５ａ４の内径は、電線９１の外径よりも大きく設定されている。そして、前半割部６５ａの形状は、全体的には、電線ガイド基部６１の外部側の開口に向うに連れて内径が拡大するラッパ状の形状である。
【００５３】
さらに、前記下枠部６１ｃの左右両端における側枠部６１ｂとの接続部分には、電線ガイド蓋部６２の係合脚部６４ａと係合する凹部である係合脚受部６４ｂが形成されている。また、前記係合脚部６４ａに形成された係合孔部６６ａと係合する凸部である係合突起部６６ｂが形成されている。
【００５４】
前記電線ガイド蓋部６２は、関節部６３を介して本体部５１の後端に接続され、図４に示されるような電線ガイド部を閉じた閉位置と、図１〜３に示されるような電線ガイド部を開けた開位置との間で姿勢変化可能な部材である。そして、前記電線ガイド蓋部６２は、長方形の平板状の背板部６２ｄと、閉位置における背板部６２ｄの上端に沿って延在する上枠部６２ａと、閉位置における背板部６２ｄの下端に沿って延在する下枠部６２ｃと、背板部６２ｄの左右の側端に沿って延在する一対の側枠部６２ｂとを備える。そして、上枠部６２ａ、下枠部６２ｃ及び側枠部６２ｂの各々の前端面には、電線通過孔６５の後半割部６５ｂが２つずつ並んで形成されている。
【００５５】
該後半割部６５ｂは、電線ガイド蓋部６２が閉位置にあるとき、前半割部６５ａと一体となって電線通過孔６５を構成する部分であり、前半割部６５ａと同様の形状を備える。そして、後半割部６５ｂの内側テーパ部６５ｂ１、直管部６５ｂ２、外側テーパ部６５ｂ３及び最外側テーパ部６５ｂ４は、各々、前半割部６５ａの内側テーパ部６５ａ１、直管部６５ａ２、外側テーパ部６５ａ３及び最外側テーパ部６５ａ４と同様の形状を備える。なお、後半割部６５ｂには突起６６が形成されていない。そして、前半割部６５ａと後半割部６５ｂとが一体となって構成する電線通過孔６５の形状は、全体的には、電線ガイド部の外部側の開口に向うに連れて内径が拡大するラッパ状の形状である。
【００５６】
さらに、前記下枠部６２ｃの左右両端における側枠部６２ｂとの接続部分には、係合孔部６６ａを含む係合脚部６４ａが形成されている。そして、電線ガイド蓋部６２が閉位置になると、前記係合脚部６４ａ及び係合孔部６６ａは、電線ガイド基部６１の係合脚受部６４ｂ及び係合突起部６６ｂと、それぞれ、係合し、電線ガイド蓋部６２が閉位置にある状態を維持する。
【００５７】
次に、前記コネクタ１の構成について説明する。
【００５８】
図５は本実施の形態におけるコネクタを示す前方から観た斜視図、図６は本実施の形態におけるコネクタを示す二面図である。なお、図６において、（ａ）は側面図、（ｂ）は（ａ）におけるＡ−Ａ矢視断面図である。
【００５９】
コネクタ１のハウジング１１は合成樹脂等の絶縁性材料から一体的に形成された部材であって、図に示されるように、ハウジング本体１２と、該ハウジング本体１２における前端１１ｆ寄りの部分を覆う覆部１３とを備える。
【００６０】
前記ハウジング本体１２は、後端１１ｒ寄りの基部１２ａと、該基部１２ａから前方へ延出する部分であって図示されない相手方コネクタと嵌合する嵌合部１２ｂと、前端１１ｆから後端１１ｒまで貫通する本体貫通孔２１を含んでいる。該本体貫通孔２１の数はいくつであってもよいが、ここでは、電線９１の数に合せて２つとなっている場合についてのみ説明する。そして、各本体貫通孔２１は、各電線９１の先端部分を収容する電線収容部２１ｂと、各電線９１の先端に接続された後述される端子９５を収容する端子収容部２１ａとを含んでいる。図に示される例においては、電線収容部２１ｂが形成された範囲がほぼ基部１２ａに対応し、端子収容部２１ａが形成された範囲がほぼ嵌合部１２ｂに対応している。
【００６１】
前記覆部１３は、嵌合部１２ｂの上方を覆う天板部１３ａと、嵌合部１２ｂの左右の側方を覆う一対の側板部１３ｂと、嵌合部１２ｂの下方を覆う底板部１３ｃとを含んでいる。そして、覆部１３の内面と嵌合部１２ｂの外面との間には、前端１１ｆに開口し、後方に向けて延在する空間である嵌合空間部２２が形成されている。該嵌合空間部２２は、コネクタ１が相手方コネクタと嵌合する際に相手方コネクタの備える相手方ハウジングの嵌合部を収容する。
【００６２】
また、嵌合部１２ｂの上方と天板部１３ａとの間の空間から基部１２ａの上方の空間、すなわち、端子収容部２１ａ及び電線収容部２１ｂの上方の空間は、ロック部材の操作片１９ａの収容部１９として機能する。前記ロック部材は、コネクタ１が相手方コネクタと嵌合する際に、相手方コネクタの備える相手方ロック部材をロックするための部材であって、前記操作片１９ａは、オペレータが手指等によって前記ロック部材のロック解除等の操作を行うための部材である。なお、前記ロック部材は、端子収容部２１ａ及び電線収容部２１ｂの上方に一体的に配設されている。
【００６３】
前記基部１２ａの後端１１ｒにおける左右の側面には、上下方向に延在する上部停止面１７が形成されている。そして、前記上部停止面１７は、カバー５０がコネクタ１のハウジング１１に装着された状態で、左右の爪部５６を結ぶ軸を回動軸としてカバー５０がハウジング１１に対して回動するような力が付与された場合に、カバー５０の天板部５４の前端面５４ｄに当接してカバー５０の第２回動方向への回動（図４（ｃ）において、左側から観て、爪部５６を中心とする反時計回り方向の回動）を停止させる第２停止部として機能する。
【００６４】
また、ハウジング本体１２と覆部１３との接続部、より具体的には、基部１２ａの側面と側板部１３ｂとの接続部１５には、該接続部１５の表面から凹入する係止凹部１６が形成されている。図６（ｂ）に示されるように、該係止凹部１６の前端は、後述されるシール部材８０の係合突起８４が挿入される連通開口１６ａを介して、嵌合空間部２２における嵌合部１２ｂの側面と側板部１３ｂとの間の部分の後端と連通する。また、前記係止凹部１６の後端には、カバー５０の爪部５６の係止面５６ｂが係止される係止部１６ｂが形成されている。なお、前記係止凹部１６の前端には、前記連通開口１６ａに隣接して、後述されるシール部材８０の係合突起８４の前方係合部８４ａと係合するシール係合部１６ｃが形成されている。
【００６５】
前記基部１２ａの左右の側面における幅狭部分、すなわち、側面における下方の部分には段差部１８が形成されている。該段差部１８によって、図６（ｂ）に示されるように、幅狭部分の幅は後方に行くに従って漸減する。すなわち、左右の段差部１８同士の間隔は、ハウジング１１から電線９１が延出する方向に向うに連れて漸減する。図に示される例において、段差部１８における各段の角部を結ぶような包絡面は、図６（ｂ）において直線状の破線Ｌ３で示されるように、後方に行くに従って互いの間隔が漸減するテーパ面となっている。
【００６６】
仮に、前記段差部１８に代えて、スムーズなテーパ面が形成されているとすると、カバー５０をハウジング１１の後方から相対的に前進させてハウジング１１に装着させる際に、カバー５０の左右の爪部５６は、そのテーパ面５６ａが前記テーパ面に沿ってスライドすることによって、その間隔がスムーズに押広げられつつ、係止凹部１６にまで到達することができる。しかし、オペレータが手指等によって、カバー５０及び／又はハウジング１１を操作し、カバー５０をハウジング１１の後方から相対的に前進させる際には、必ずしも、カバー５０がハウジング１１に対して適正な姿勢、すなわち、平面視においてカバー５０の前後方向に延在する中心軸とハウジング１１の前後方向に延在する中心軸とが一致した姿勢にならず、カバー５０の中心軸とハウジング１１の中心軸とが傾斜した姿勢になることがある。このような姿勢でカバー５０がハウジング１１に対して前進すると、左右の爪部５６のテーパ面５６ａがハウジング１１の左右のテーパ面に当接したまま進行し、係止凹部１６に到達する前に、左右の爪部５６の間隔が最大限にまで広げられるので、左右の爪部５６のテーパ面５６ａがハウジング１１のテーパ面に密着して、カバー５０の前進も後退も、また、姿勢変化も不能となってしまう可能性がある。
【００６７】
これに対して、本実施の形態においては、ハウジング１１の基部１２ａの左右の側面が段差部１８となっているので、平面視においてカバー５０の中心軸がハウジング１１の中心軸に対して傾斜した姿勢のままでカバー５０がハウジング１１に対して前進しても、左右の爪部５６のテーパ面５６ａがともにハウジング１１の基部１２ａの左右の側面に密着してしまうことがない。したがって、係止凹部１６に到達する前に、左右の爪部５６の間隔が最大限にまで広げられてカバー５０の前進が不能になっても、その状態でカバー５０の後退又は姿勢変化が可能なので、オペレータは、カバー５０の姿勢を修正してカバー５０の中心軸とハウジング１１の中心軸とを一致させた後に、再度、カバー５０をハウジング１１に対して前進させ、左右の爪部５６を係止凹部１６にまで到達させることができる。
【００６８】
このように、本実施の形態においては、ハウジング１１の基部１２ａの左右の側面が後方に行くに従って互いの間隔が漸減する段差部１８となっているので、カバー５０の中心軸とハウジング１１の中心軸とが一致する場合のみならず、カバー５０の中心軸がハウジング１１の中心軸に対して傾斜した場合であっても、カバー５０をハウジング１１に対して前進させて、左右の爪部５６を係止凹部１６と係止させることができる。
【００６９】
また、基部１２ａの下面と底板部１３ｃとの接続部分には、ハウジング１１の幅方向に延在する下部停止面１４が形成されている。該下部停止面１４は、カバー５０がコネクタ１のハウジング１１に装着された状態で、左右の爪部５６を結ぶ軸を回動軸としてカバー５０がハウジング１１に対して回動するような力が付与された場合に、カバー５０の底板部５２の前端面５２ａに当接してカバー５０の第１回動方向への回動（図４（ｃ）において、左側から観て、爪部５６を中心とする時計回り方向の回動）を停止させる第１停止部として機能する。
【００７０】
さらに、基部１２ａの後面における電線収容部２１ｂの上方には、接続凹部２３が開口している。該接続凹部２３は、カバー５０がハウジング１１に装着された状態でカバー５０の補助板部５４ａが挿入される凹部であって、前記補助板部５４ａの下面５４ｂと対向する底面２３ａと、前記補助板部５４ａの左右の側面５４ｃと対向する左右の側面２３ｂとを含んでいる。前記接続凹部２３の底面２３ａは、カバー５０がコネクタ１のハウジング１１に装着された状態で、左右の爪部５６を結ぶ軸を回動軸としてカバー５０がハウジング１１に対して回動するような力が付与された場合に、カバー５０の補助板部５４ａの下面５４ｂに当接してカバー５０の第１回動方向への回動を停止させる第３停止部として機能し、前記第１停止部又は第２停止部を補助する。また、前記接続凹部２３の側面２３ｂは、カバー５０がコネクタ１のハウジング１１に装着された状態で、左右の爪部５６を結ぶ軸に垂直な軸を回動軸としてカバー５０がハウジング１１に対して回動するような力が付与された場合に、カバー５０の補助板部５４ａの側面５４ｃに当接してカバー５０の回動を停止させる第４停止部として機能する。
【００７１】
次に、前記ハウジング１１に装着されるシール部材８０の構成について説明する。
【００７２】
図７は本実施の形態におけるシール部材を示す斜視図、図８は本実施の形態におけるシール部材を示す二面図である。なお、図７において、（ａ）は前方から観た図、（ｂ）は後方から観た図であり、図８において、（ａ）は側面図、（ｂ）は（ａ）におけるＢ−Ｂ矢視断面図である。
【００７３】
シール部材８０は、例えば、シリコーンゴム等のゴムのように柔軟性を有する樹脂製の一体的に形成された部材であり、断面が略楕円形のような筒状の全体形状を有する。そして、前記シール部材８０は、筒状の後方部８１と、該後方部８１の前端から前方に向けて延出する前方部８２と、前記後方部８１及び前方部８２を連続して貫通する貫通孔部８３とを含んでいる。また、前記後方部８１の左右両側面には、外方へ向けて突出する係合突起８４が一体的に接続されている。なお、該係合突起８４の前面には、ハウジング１１の係止凹部１６に形成されたシール係合部１６ｃと係合する前方係合部８４ａが形成されている。
【００７４】
前記シール部材８０は、ハウジング１１の嵌合部１２ｂの周囲に嵌付けられる。具体的には、後述されるように、前記貫通孔部８３に嵌合部１２ｂが挿入された状態となり、後方部８１が基部１２ａと嵌合部１２ｂとの接続部分の周囲を覆い、前方部８２が前記接続部分から所定の長さまでの範囲内の嵌合部１２ｂの周囲を覆うようになる。また、係合突起８４は、連通開口１６ａを通って係止凹部１６内に進入し、前方係合部８４ａがシール係合部１６ｃと係合する。このように、係合突起８４が係止凹部１６と係合することによって、シール部材８０が位置決めされる。
【００７５】
次に、前記カバー５０をコネクタ１に装着する動作について説明する。なお、ここでは、電線９１はコネクタ１に接続されていないものとする。すなわち、カバー５０がコネクタ１に装着された後に、電線９１がコネクタ１に接続されるものとする。
【００７６】
図９は本実施の形態におけるカバーをコネクタに装着する動作を示す斜視図、図１０は本実施の形態におけるカバーがコネクタに取付けられた状態を示す第１の二面図、図１１は本実施の形態におけるカバーがコネクタに取付けられた状態を示す第２の二面図である。なお、図９において、（ａ）はカバー側から観た図、（ｂ）はコネクタ側から観た図であり、図１０において、（ａ）は側面図、（ｂ）は（ａ）におけるＣ−Ｃ矢視断面図であり、図１１において、（ａ）は図１０（ａ）におけるＤ−Ｄ矢視断面図、（ｂ）は図１０（ａ）におけるＤ−Ｄ矢視断面を含む斜視図である。
【００７７】
まず、オペレータは、手指等によって、コネクタ１のハウジング１１にシール部材８０を装着する。該シール部材８０の装着が完了すると、図１０（ｂ）及び１１に示されるように、後方部８１がハウジング１１の基部１２ａと嵌合部１２ｂとの接続部分の周囲を覆い、前方部８２が前記接続部分から所定の長さまでの範囲内の嵌合部１２ｂの周囲を覆い、係合突起８４が連通開口１６ａを通って係止凹部１６内に進入し、前方係合部８４ａがシール係合部１６ｃと係合する。
【００７８】
続いて、オペレータは、手指等によって、カバー５０をコネクタ１の後方に位置させ、カバー５０及びコネクタ１の姿勢を制御し、ハウジング１１の後端１１ｒと本体部５１の前端とを正対させる。すなわち、下部停止面１４に対して底板部５２の前端面５２ａが正対し、平面視においてカバー５０の前後方向に延在する中心軸とハウジング１１の前後方向に延在する中心軸とが一致する姿勢とする。
【００７９】
そして、オペレータは、カバー５０をコネクタ１に対して相対的に前進させ、図９に示されるような位置関係にする。続いて、オペレータがカバー５０をコネクタ１に対して更に前進させると、左右の爪部５６は、各段の角部を結ぶ包絡面がテーパ面となっている段差部１８に沿って前進することにより、間隔が押広げられる。そして、左右の爪部５６が段差部１８の前方に位置する係止凹部１６に到達すると、前記爪部５６が係止凹部１６に嵌込まれ、図１、１０及び１１に示されるように、カバー５０のコネクタ１への装着が完了する。
【００８０】
なお、カバー５０をコネクタ１に対して相対的に前進させる際に、平面視においてカバー５０の中心軸がハウジング１１の中心軸に対して傾斜した姿勢となり、係止凹部１６に到達する前に、左右の爪部５６の間隔が段差部１８によって最大限にまで広げられてカバー５０の前進が不能になっても、前述のように、その状態でカバー５０の後退又は姿勢変化が可能である。したがって、オペレータは、カバー５０の姿勢を修正してカバー５０の中心軸とハウジング１１の中心軸とを一致させた後に、再度、カバー５０をハウジング１１に対して前進させ、カバー５０をコネクタ１に装着することができる。
【００８１】
カバー５０のコネクタ１への装着が完了すると、左右の爪部５６が係止凹部１６に嵌込まれて該係止凹部１６と係合するので、カバー５０がコネクタ１から離脱することが効果的に防止される。より詳細には、爪部５６の係止面５６ｂが係止凹部１６の係止部１６ｂに係止される。また、係止凹部１６内において、爪部５６は、シール部材８０の係合突起８４に当接して後方に押圧される。これにより、爪部５６の係止凹部１６に対する位置関係が安定し、その結果、カバー５０のコネクタ１に対する位置関係が安定し、カバー５０のコネクタ１に対するがたつきが防止される。
【００８２】
また、カバー５０のコネクタ１への装着が完了すると、底板部５２の前端面５２ａは下部停止面１４に対向し、天板部５４の前端面５４ｄは上部停止面１７に対向し、補助板部５４ａは接続凹部２３に進入し、補助板部５４ａの下面５４ｂ及び側面５４ｃは接続凹部２３の底面２３ａ及び側面２３ｂに対向する。
【００８３】
さらに、カバー５０のコネクタ１への装着が完了すると、左右の側板部５３の内側面における上端近傍部分が基部１２ａの側面における段差部１８の上方部分に対向する。前記側板部５３の内側面における上端近傍部分は側板上端部５３ａである第５当接部５３ａとして機能し、前記基部１２ａの側面における段差部１８の上方部分は側面下方部１２ｃである第５停止部１２ｃとして機能する。そして、左右の爪部５６を結ぶ軸に垂直な軸を回動軸としてカバー５０がハウジング１１に対して回動するような力が付与された場合に、側板上端部５３ａが、側面下方部１２ｃに当接して、カバー５０の回動が停止する。
【００８４】
次に、電線９１がコネクタ１に接続された状態について説明する。
【００８５】
図１２は本実施の形態におけるコネクタに電線が接続された状態を示す斜視図、図１３は本実施の形態におけるコネクタに電線が接続された状態を示す正面図、図１４は本実施の形態におけるコネクタに電線が接続された状態を示す二面図である。図１２において、（ａ）はカバー側から観た図、（ｂ）は電線の引出態様を説明する図であり、図１４において、（ａ）は側面図、（ｂ）は（ａ）におけるＥ−Ｅ矢視断面図である。
【００８６】
図１４（ｂ）に示されるように、電線９１の先端には、金属等の導電性材料から成る端子９５があらかじめ接続されている。なお、該端子９５は、絶縁被覆によって周囲が被覆された電線９１の芯金に導通するように接続されている。そして、オペレータは、手指等によって、端子９５が接続された電線９１の先端を、図１〜３に示されるような電線ガイド蓋部６２が開位置にある状態において、カバー５０の後方から接続用空間５５を通して、ハウジング１１の後端１１ｒに開口する本体貫通孔２１内に挿入する。これにより、電線９１はコネクタ１に接続される。そして、電線９１がコネクタ１に接続された状態において、端子９５は端子収容部２１ａ内に収容されて保持され、前記端子９５の後端に接続された電線９１の先端部分は電線収容部２１ｂ内に収容されて保持される。なお、前記電線９１の先端部分の周囲には、ゴム等の柔軟性を備える材料から成る電線用シール部材９３が嵌付けられており、該電線用シール部材９３は、電線収容部２１ｂの内面と電線９１の先端部分の外面との間の隙間を密閉し、後端１１ｒから塵埃、水分等の異物が本体貫通孔２１内に進入することを防止する。
【００８７】
続いて、オペレータは、電線９１のコネクタ１への付け根部分、すなわち、後端１１ｒにおける本体貫通孔２１の開口から後方へ向けて接続用空間５５に延出した部分を、上下左右のうちの任意の方向に湾曲し、電線ガイド基部６１に形成された前半割部６５ａに押込む。該前半割部６５ａに押込まれた電線９１は、その外側の絶縁被覆層が前半割部６５ａの内面に形成された一対の突起６６によって押潰されるようにして、挟持される。
【００８８】
続いて、オペレータは、電線ガイド蓋部６２の姿勢を閉位置に変化させ電線ガイド基部６１の後部を閉じる。これにより、電線９１は、電線通過孔６５を通って、電線ガイド部から外方へ導出された状態となる。なお、電線９１は、いずれの電線通過孔６５を通って外方へ導出されてもよい。図１２（ｂ）には、説明のために、電線９１が仮想的にすべての電線通過孔６５を通って外方へ導出された状態が示されているが、本実施の形態において、電線９１は２本である。また、電線９１は、２本が並んで、上下左右のいずれかの方向に導出されてもよいし、１本ずつ別々の方向に導出されてもよいが、ここでは、図１２（ａ）、１３等に示されるように、２本が並んでともに下方に導出されている例について説明する。
【００８９】
前述のように、電線通過孔６５の内面に形成された一対の突起６６によって電線９１が挟持されているので、電線９１の外方へ導出された部分に引張力が付与されても、電線９１がコネクタ１から抜けてしまうことがない。また、前述のように、電線通過孔６５の形状は、全体的に、電線ガイド部の外部側の開口に向うに連れて内径が拡大するラッパ状の形状なので、電線９１の外方へ導出された部分に振動や煽りが付与されても、電線９１の絶縁被覆層が電線通過孔６５の外部側の端部から損傷を受けることがない。
【００９０】
ここでは、カバー５０がコネクタ１に装着された後に、電線９１がコネクタ１に接続される例についてのみ説明したが、電線９１がコネクタ１に接続された後に、カバー５０をコネクタ１に装着することもできる。この場合、例えば、カバー５０の本体部５１の底板部５２に、電線９１が通過可能な幅のスリットであって前後に延在して底板部５２を左右に分割するようなスリットを形成することが望ましい。これにより、電線９１がコネクタ１に接続された後でも、カバー５０をコネクタ１に容易に装着することができる。
【００９１】
このように、本実施の形態において、カバー５０は、電線９１が接続されるコネクタ１のハウジング１１に取付けられ、電線９１のハウジング１１から延出する部分を覆うようになっている。そして、カバー５０は、ハウジング１１の係止凹部１６に係止可能な一対の爪部５６と、ハウジング１１の下部停止面１４と当接可能な前端面５２ａと、ハウジング１１の上部停止面１７と当接可能な前端面５４ｄとを備え、前端面５２ａは、左右に離間した爪部５６を結ぶ線を仮想回動軸Ｐとする回動の第１回動方向に下部停止面１４と当接可能であり、前端面５４ｄは第１回動方向と反対の第２回動方向に上部停止面１７と当接可能である。
【００９２】
一方、コネクタ１は、端子９５を収容し、端子９５に接続された電線９１が延出するハウジング１１を備え、電線９１のハウジング１１から延出する部分を覆うカバー５０がハウジング１１に取付けられるようになっている。そして、カバー５０の爪部５６が係止可能な一対の係止凹部１６と、カバー５０の前端面５２ａが当接可能な下部停止面１４と、カバー５０の前端面５４ｄが当接可能な上部停止面１７とを備え、下部停止面１４は、仮想回動軸Ｐの回りの第２回動方向に前端面５２ａと当接可能であり、上部停止面１７は第２回動方向と反対の第１回動方向に前端面５４ｄと当接可能である。
【００９３】
これにより、カバー５０がコネクタ１のハウジング１１に取付けられた状態で、カバー５０をハウジング１１に対して回動させるような外力が付与された場合であっても、カバー５０のハウジング１１に対する回動を効果的に防止することができ、その結果、カバー５０がハウジング１１から外れてしまうことを効果的に防止することができる。
【００９４】
さらに、カバー５０は、ハウジング１１の底面２３ａと当接可能な補助板部５４ａの下面５４ｂを更に備え、補助板部５４ａの下面５４ｂは第１回動方向にハウジング１１の底面２３ａと当接可能である。一方、コネクタ１は、カバー５０の補助板部５４ａの下面５４ｂが当接可能なハウジング１１の底面２３ａを更に備え、ハウジング１１の底面２３ａは第２回動方向に補助板部５４ａの下面５４ｂと当接可能である。これにより、カバー５０のハウジング１１に対する回動を更に効果的に防止することができる。
【００９５】
さらに、カバー５０は、複数の電線通過孔６５を含む電線ガイド部を更に備え、電線９１は、電線通過孔６５を通過して、ハウジング１１から延出する方向と異なる方向に、電線ガイド部から延出する。そして、電線通過孔６５は内面に形成された突起６６を含み、電線通過孔６５を通過する電線９１は突起６６によって挟持される。したがって、電線９１の外方へ導出された部分に外力が付与されても、電線９１がコネクタ１から抜けてしまうことがない。
【００９６】
さらに、ハウジング１１は、ハウジング１１から電線９１が延出する方向に関して係止凹部１６の下流側に形成された一対の段差部１８を含み、一対の段差部１８同士の間隔は、ハウジング１１から電線９１が延出する方向に向うに連れて漸減する。したがって、カバー５０をハウジング１１に取付ける際に、左右の爪部５６は、段差部１８に沿って進行することによって、間隔が押広げられ、係止凹部１６に到達すると、爪部５６を係止凹部１６に嵌込むことができる。また、カバー５０の姿勢が不適切で前進不能となっても、カバー５０の姿勢を修正して、左右の爪部５６を段差部１８に沿って進行させることができる。
【００９７】
さらに、ハウジング１１には、一対の係合突起８４を含むシール部材８０が装着され、シール部材８０は、係合突起８４が係止凹部１６と係合することによって位置決めされる。これにより、爪部５６も係合突起８４と係合するので、カバー５０も位置決めされる。
【００９８】
なお、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００９９】
本開示は、コネクタ用カバーに適用することができる。
【符号の説明】
【０１００】
１    コネクタ
１１    ハウジング
１１ｆ    前端
１１ｒ    後端
１２、８１１    ハウジング本体
１２ａ    基部
１２ｂ    嵌合部
１２ｃ    側面下方部
１３    覆部
１３ａ、５４    天板部
１３ｂ、５３    側板部
１３ｃ、５２    底板部
１４    下部停止面
１５    接続部
１６    係止凹部
１６ａ    連通開口
１６ｂ、８８４    係止部
１６ｃ    シール係合部
１７    上部停止面
１８    段差部
１９    収容部
１９ａ    操作片
２１    本体貫通孔
２１ａ    端子収容部
２１ｂ    電線収容部
２２    嵌合空間部
２３    接続凹部
２３ａ    底面
２３ｂ、５４ｃ    側面
５０、８３１    カバー
５１    本体部
５２ａ、５４ｄ    前端面
５３ａ    側板上端部
５４ａ    補助板部
５４ｂ    下面
５５    接続用空間
５６    爪部
５６ａ    テーパ面
５６ｂ    係止面
６１    電線ガイド基部
６１ａ、６２ａ    上枠部
６１ｂ、６２ｂ    側枠部
６１ｃ、６２ｃ    下枠部
６２    電線ガイド蓋部
６２ｄ    背板部
６３    関節部
６４ａ    係合脚部
６４ｂ    係合脚受部
６５    電線通過孔
６５ａ    前半割部
６５ａ１、６５ｂ１    内側テーパ部
６５ａ２、６５ｂ２    直管部
６５ａ３、６５ｂ３    外側テーパ部
６５ａ４、６５ｂ４    最外側テーパ部
６５ｂ    後半割部
６６    突起
６６ａ    係合孔部
６６ｂ、８４    係合突起
８０、８８１    シール部材
８１    後方部
８２    前方部
８３    貫通孔部
８４ａ    前方係合部
９１、８９１    電線
９３    電線用シール部材
９５、８９５    端子
８１５    キャビティ
８２１    筒部
８２６    開口部
８２７ａ    リブ
８２７ｂ    溝部
８３７    係合リブ
【図１】
0006722020.tif 000002
【図２】
0006722020.tif 000003
【図３】
0006722020.tif 000004
【図４】
0006722020.tif 000005
【図５】
0006722020.tif 000006
【図６】
0006722020.tif 000007
【図７】
0006722020.tif 000008
【図８】
0006722020.tif 000009
【図９】
0006722020.tif 000010
【図１０】
0006722020.tif 000011
【図１１】
0006722020.tif 000012
【図１２】
0006722020.tif 000013
【図１３】
0006722020.tif 000014
【図１４】
0006722020.tif 000015
【図１５】
0006722020.tif 000016